(57)【要約】【課題】より自然な生際を再現すること【解決手段】植毛シート２０は多数の植毛部位２５からなる植毛列が多数形成されており、本体部２３と生際処理部２１とからなる。本体部はすべての植毛部位が複植部位２９からなる。生際処理部２１は各植毛列が単植部位２８及び複植部位２９の混合又は無植部位２７、単植部位及び複植部位の混合からなるとともに、各列ごとに先端から後端に向かって上記した順に並べられ、上記植毛列の集合体は単植部位及び複植部位の開始位置が各列ごとに一様ではなく全体としてランダムに形成される。生際処理部２１内の単植部位の開始位置は生際乱調度の設定値により、同複植部位２９の開始位置は生際深さの設定値により、同各植毛列毎の最初の単植部位２８と最初の複植部位２９との間に形成される植毛部位２５が単植部位２８又は複植部位２９となるかは曖昧開始位置及び濃度傾斜の各設定値により、各々、決定される。【選択図】図４
2007247099.tif 000002
【特許請求の範囲】
【請求項１】
極薄の皮膜状シートからなるベースと、該ベースに植え付けられた植毛材とからなり、本体部と生際処理部とを有するとともに、多数の植毛部位からなる植毛列が多数形成され、上記本体部はすべての植毛部位が複植部位からなり、上記生際処理部は各植毛列が単植部位及び複植部位の混合又は無植部位、単植部位及び複植部位の混合からなるとともに、各列ごとに先端から後端に向かって上記した順に並べられ、生際処理部を構成する上記植毛列の集合体は単植部位及び複植部位の開始位置が各列ごとに一様ではなく全体としてランダムに形成されることを特徴とする皮膜毛中間体。
【請求項２】
請求項１記載の皮膜毛中間体において、上記生際処理部内の単植部位の開始位置は生際乱調度の設定値により決定されることを特徴とする皮膜毛中間体。
【請求項３】
請求項１記載の皮膜毛中間体において、上記生際処理部内の複植部位の開始位置は生際深さの設定値により決定されることを特徴とする皮膜毛中間体。
【請求項４】
請求項１記載の皮膜毛中間体において、上記生際処理部内の各植毛列毎の最初の単植部位と最初の複植部位との間に形成される植毛部位が単植部位又は複植部位となるかは曖昧開始位置及び濃度傾斜の各設定値により決定されることを特徴とする皮膜毛中間体。
【請求項５】
極薄の皮膜状シートからなるベースと、該ベースに植え付けられた植毛材とからなり、本体部と生際部とを有するとともに、多数の植毛部位からなる植毛列が多数形成され、上記本体部はすべての植毛部位が複植部位からなり、上記生際部は生際処理部より無植部位を切除してなり、かつ各植毛列が単植部位及び複植部位の混合からなるとともに、各列ごとに先端から後端に向かって上記した順に並べられ、上記生際部を構成する上記植毛列の集合体は単植部位及び複植部位の開始位置が各列ごとに一様ではなく全体としてランダムに形成されることを特徴とする皮膜毛。
【請求項６】
請求項５記載の皮膜毛において、上記生際部内の単植部位の開始位置は生際乱調度の設定値により決定されることを特徴とする皮膜毛。
【請求項７】
請求項５記載の皮膜毛において、上記生際部内の複植部位の開始位置は生際深さの設定値により決定されることを特徴とする皮膜毛。
【請求項８】
請求項５記載の皮膜毛において、上記生際部内の各植毛列毎の最初の単植部位と最初の複植部位との間に形成される植毛部位が単植部位又は複植部位となるかは曖昧開始位置及び濃度傾斜の各設定値により決定されることを特徴とする皮膜毛。
【発明の詳細な説明】
【技術分野】
【０００１】
本願発明は部分的に又は全面的に生じているはげを補修するために用いるかつらに関し、とくに皮膜毛及びその中間体に関する。
「皮膜毛」という概念は出願人が提案する全く新しいタイプのかつらの一種であり、極薄の透湿性皮膜に植え付けられた植毛材を頭皮等の皮膚に直接貼付するものである。
【背景技術】
【０００２】
はげは各個人、生成箇所、人種等によりその形状等が種々であり、同じものはないと言われている。
【０００３】
しかしながら、従来のかつらはこのようなはげの特性を無視し、例えばだ円形状に一様につくられたピースを当該はげを含む頭部の全体に装着していた。
【０００４】
よって自毛があり隠す必要のないところまでかつらを装着するという結果となっていた。
【０００５】
これを回避しできるだけはげの部分にのみかつらを適用するには手植え方式をとらざるを得なかった。これは、かつらの植毛材を一本々々残っている自毛に結着するなどして行なう方式であり、当然膨大なコストと時間がかかり、しかも自毛への負担がかかるという欠点があった。
【０００６】
また自毛の残数が少ない部位又は自毛のない部位にかつらの植毛材を適用することは不可能であった。
【０００７】
そこで、本出願人及び本発明者は全く新しいタイプのかつらの一種即ち「皮膜毛」（当時は「使い捨てかつら」と呼んでいた）を提案した。
【０００８】
【特許文献１】特許第３４８４５６５号
【発明の開示】
【発明が解決しようとする課題】
【０００９】
本願発明は、この新提案のさらなる改良であり、とくに皮膜毛においてより自然な生際を再現することを目的とする。
【００１０】
本願発明のさらに他の目的は以下の説明より明らかになる。
【課題を解決するための手段】
【００１１】
上記目的達成のため、本願発明は、極薄の皮膜状シートからなるベースと、該ベースに植え付けられた植毛材とからなり、本体部と生際処理部とを有するとともに、多数の植毛部位からなる植毛列が多数形成され、上記本体部はすべての植毛部位が複植部位からなり、上記生際処理部は各植毛列が単植部位及び複植部位の混合又は無植部位、単植部位及び複植部位の混合からなるとともに、各列ごとに先端から後端に向かって上記した順に並べられ、生際処理部を構成する上記植毛列の集合体は単植部位及び複植部位の開始位置が各列ごとに一様ではなく全体としてランダムに形成されることを特徴とする皮膜毛中間体を供する。
上記皮膜毛中間体は、上記生際処理部内の単植部位の開始位置は生際乱調度の設定値により決定されること、上記生際処理部内の複植部位の開始位置は生際深さの設定値により決定されること、上記生際処理部内の各植毛列毎の最初の単植部位と最初の複植部位との間に形成される植毛部位が単植部位又は複植部位となるかは曖昧開始位置及び濃度傾斜の各設定値により決定されることをも特徴とする。
また、本願発明は、極薄の皮膜状シートからなるベースと、該ベースに植え付けられた植毛材とからなり、本体部と生際部とを有するとともに、多数の植毛部位からなる植毛列が多数形成され、上記本体部はすべての植毛部位が複植部位からなり、上記生際部は生際処理部より無植部位を切除してなり、かつ各植毛列が単植部位及び複植部位の混合からなるとともに、各列ごとに先端から後端に向かって上記した順に並べられ、上記生際部を構成する上記植毛列の集合体は単植部位及び複植部位の開始位置が各列ごとに一様ではなく全体としてランダムに形成されることを特徴とする皮膜毛を供する。
上記皮膜毛は、上記生際部内の単植部位の開始位置は生際乱調度の設定値により決定されること、上記生際部内の複植部位の開始位置は生際深さの設定値により決定されること、上記生際部内の各植毛列毎の最初の単植部位と最初の複植部位との間に形成される植毛部位が単植部位又は複植部位となるかは曖昧開始位置及び濃度傾斜の各設定値により決定されることをも特徴とする。
【発明の効果】
【００１２】
本願発明によれば、生際処理部２１を本体部２３とは区別し、生際処理部２１の各植毛列Ｒ１〜Ｒ３１は、集合体全体としてみると、単植部位２８及び複植部位２９の開始位置が各列一様ではなくランダムに形成されるから、生際がジグザグに形成されより自然な生際ラインを再現することができる。
【００１３】
また生際処理部２１は必ず単植部位２８及び複植部位２９の順に配列されるから徐々に植毛密度が濃くなりより自然な感じとなる。
【００１４】
さらに、生際処理部２１において単植部位２８の個数は各植毛列Ｒ１〜Ｒ３１ごとに一様ではないので、より自然な感じとなる。
【発明を実施するための最良の形態】
【００１５】
次に、実施の形態を示す図面に基づき本願発明をさらに詳しく説明する。なお、便宜上同一の機能を奏する部分には同一の符号を付してその説明を省略する。
【００１６】
本願発明による皮膜毛２０は、２０乃至３０ミクロン（μ）程度のポリウレタン製の極薄の皮膜状シートからなるベース２０１に、ポリエステル繊維からなる植毛材２０３を例えばＶ字状に植え付けてなる。上記ベース２０１は伸縮性のある無色透明の平面状シートであり、その厚さは人皮の角質層が通常２０乃至３０ミクロン（μ）程度であるため、同程度の厚さとされる。
【００１７】
２０４は該植毛材２０３の植え付け時に図示しない自動植毛機（以下「マシン」ともいう）のピン（図示せず）により、根部２０５に点状に付与された接着剤であり、根部２０５をベース２０１の裏面に固着する。これにより、植え付けられた植毛材２０３のベース２０１への固着が強固となり、植毛材２０３の立設状態を支える。植え付けられた植毛材２０３の根部２０５は、ベース２０１の裏面に突設状態となっている。２０６は植付けられた植毛材２０３の自由端部である。２０７は粘着層であり、上記ベース２０１の裏面全面に均等な厚さで形成される。該粘着層２０７の厚さＢは、上記根部２０５を冠着する凸部２０９と他の部分（凹部２１１）との間に凹凸が現出される程度の薄さに形成する。
【００１８】
上記粘着層２０７はアクリル系粘着剤からなり、転写法により形成する。即ち、両面に剥離紙２１５、２１７を設けたアクリル系粘着剤の一の面の剥離紙（ＰＥＴ）２１５を剥してその面をベース２０１の裏面全面に固着し、使用時に他の面の剥離紙２１７を剥して頭皮等人体の適用部位に貼付する。
【００１９】
本願発明による皮膜毛２０は、ベース２０１に植毛材２０３を植付けられただけの状態までのものを「皮膜毛中間体」と称し、ベース２０１の裏面に接着剤２０５による固定、粘着層２０７等を形成した最終製品を単に「皮膜毛」２０と称する。
【００２０】
図４及び図５（Ａ）は、皮膜毛２０を模式的に表わした図である。実際上の植毛部位は図１に示すようにベース２０１上に例えば０．５ｍｍ間隔で植毛材２０３が植え付けられるのでもっと「密」なのであるが、図４及び図５（Ａ）では便宜上比較的「疎」に表わしている。
【００２１】
なお、以下の説明で「皮膜毛」と称するときは特に峻別しない限り、中間体としての皮膜毛２０と最終製品としての皮膜毛２０の両者を包含する。また、便宜上図１乃至図３はベース２０１への植毛材２０３の植付けをイメージ的に表しているので植毛材２０３の植付け本数を「１本」として図示してある。
【００２２】
皮膜毛２０は、図示しない自動植毛機の移動テーブル上に送給されるベース２０１に、図示しない植毛材供給部から送給される植毛材を植え付けていく。
【００２３】
上記皮膜毛２０は生際処理部２１及び本体部２３とからなり、各部２１、２３とも多数の植毛部位２５からなる植毛列Ｒ１〜Ｒ３１が多数形成される。上記生際処理部２１は、図５（Ａ）に１点鎖線で示す仮想生際ライン３３と、図５（Ａ）に２点鎖線で示す生際終端ライン３５とにより囲繞される領域を指称する。上記植毛部位２５には無植部位２７、単植部位２８又は複植部位２９の別がある。
【００２４】
「無植部位」２７は１個の擬似毛孔に植毛材を植え付けない植毛部位であり、図４及び図５（Ａ）に白円形で表してある。「単植部位」２８は１個の擬似毛孔に植毛材を１本植え付ける植毛部位であり、図４及び図５（Ａ）に黒四角形で表してある。「複植部位」２９は１個の擬似毛孔に植毛材を複数本（図示例は２本）植え付ける植毛部位であり、図４及び図５（Ａ）に黒円形で表してある。
【００２５】
上記生際処理部２１は各植毛列Ｒ１〜Ｒ３１が上記した単植部位２８及び複植部位２９の混合又は無植部位２７、単植部位２８及び複植部位２９の混合からなるとともに、各列ごとに先端から後端に向かって上記した順に並べられる。
【００２６】
例えば、図４及び図５（Ａ）上、植毛列Ｒ５は無植部位２７が１個、単植部位２８が７個及び複植部位２９が３１個の集合からなり、植毛列Ｒ６は無植部位２７が１個、単植部位２８が６個及び複植部位２９が３７個の集合からなり、植毛列Ｒ７は無植部位２７が０個、単植部位２８が５個及び複植部位２９が４１個の集合からなり、植毛列Ｒ８は無植部位２７が２個、単植部位２８が４個及び複植部位２９が４２個の集合からなる、の如くである。なお、実際上の植毛列の複植部位２９はもっと多くの植毛部位を有する。また植毛列Ｒ５において、単植部位２８は本来「８」個であるが、これが「７」個となる理由については後述する。
【００２７】
図４及び図５（Ａ）に示すように、上記生際処理部２１を含む上記植毛列Ｒ１〜Ｒ３１の集合体は単植部位２８及び複植部位２９の開始位置が各列ごとに一様ではなく全体としてランダムに形成される。
【００２８】
上記生際処理部２１内の単植部位２８の開始位置は生際乱調度の設定値により決定される。該生際乱調度の設定値は顧客のオーダに合わせて人手により入力され、その入力値に基づいてマシンを制御するコンピュータ内に格納されている所定の計算テーブルが選択される。該計算テーブルは経験上の観点から割り出して自然な生際の毛髪の環境に合致するよう設計されている。
【００２９】
「生際乱調度」とは、顧客パターンの生際（毛髪その他の毛の生え始めている部分）を本体部２３の植え付け量に対して間引く度合いであり、皮膜毛２０の実際上の生際ライン３１（図４及び図５（Ａ）に実線で示す）を設定するパラメータである。皮膜毛２０上の各植毛列Ｒ１〜Ｒ３１の最先端部に形成される植毛部位（図４及び図５（Ａ）に一点鎖線で示す仮想生際ライン３３）の付近に植毛材２０３（図１乃至図３に示す）を不規則に植付けたり植付けなかったりすることにより、実際上の生際になる部分（生際ライン３１）即ち各植毛列の最初の単植部位２８ａをジグザグに形成し、より自然な生際を再現する。パラメータの設定値が仮想生際ライン３３から後端に向かって無植部位２７をつくる最大ショット数となる。入力設定値は「０」乃至「９」の範囲の整数値である。
【００３０】
例えば、図４及び図５（Ａ）の場合は生際乱調度「２」と設定してあるので、最大２ショット分まで無植部位２７を形成する。この場合無植部位２７を２個とするか（例えば植毛列Ｒ８）、１個とするか（例えば植毛列Ｒ５）、０個とするか（例えば植毛列Ｒ７）は、コンピュータに内蔵する所定の乱数発生関数に基づいてランダムに決定される。設定値の範囲で図示しないマシンの移動テーブル（図示せず）がＹ軸（図４に示す）に沿って先端から後端に移動後、Ｘ軸（図４に示す）上を左方から右方へ移動し、このＹ軸移動中に植毛材の植付けがなされる。
【００３１】
上記生際処理部２１内の複植部位２９の開始位置は生際深さの設定値により決定される。該生際深さの設定値は顧客のオーダに合わせて人手により入力され、その入力値に基づいてマシンを制御するコンピュータ内に格納されている所定の計算テーブルが選択される。該計算テーブルは経験上の観点から割り出して自然な生際の毛髪の環境に合致するよう設計されている。
【００３２】
「生際深さ」とは、特定の顧客パターン１１について最後の単植部位２８ｂの位置を設定するパラメータであり、設定値を超える値の植毛部位以降を複植部位２９とする。「生際深さ」それ自体は一定の値であるが、次に述べる曖昧開始位置及び濃度傾斜による処理が加わるとその数値がランダムに変化する。これにより、生際部２２と本体部２３との毛量差を形成し、本来毛量の少ない生際を再現させる。入力設定値は「０」乃至「９」の範囲の整数値である。例えば、図４及び図５（Ａ）の場合は生際深さを「８」と設定してあるので、最大８ショット目までは単植部位２８、９ショット目から複植部位２９が形成される（例えば植毛列Ｒ５）。
【００３３】
上記生際処理部２１内の各植毛列毎の最初の単植部位２８ａと最初の複植部位２９ａとの間に形成される植毛部位２５が単植部位２８又は複植部位２９となるかは曖昧開始位置及び濃度傾斜の各設定値により決定される。該曖昧開始位置及び濃度傾斜の各設定値は顧客のオーダに合わせて人手により入力され、その入力値に基づいてマシンを制御するコンピュータ内に格納されている所定の計算テーブルが選択される。該計算テーブルは経験上の観点から割り出して自然な生際の毛髪の環境に合致するよう設計されている。マシンを制御するコンピュータ内に格納されている入力設定値より自毛の生際の毛髪の環境に合致するよう選択される。
【００３４】
「曖昧開始位置」とは、顧客パターン１１について単植部位２８の領域から複植部位２９の領域に徐々に移行するための開始位置を設定するためのパラメータであり、これにより複植部位２９の形成を確率的にかつ徐々に行なう。これは「濃度傾斜」とセットで使用する。入力設定値は「０」乃至「９」の範囲の整数値である。例えば、図４及び図５（Ａ）の場合は生際深さ「８」、曖昧開始位置「５」と設定してあるので、５ショット目から８ショット目までの間の植毛部位２５が単植部位２８又は複植部位２９となるかが判断される。図４及び図５（Ａ）の場合、例えば、植毛列Ｒ１が５ショット目から、植毛列Ｒ２が６ショット目から、植毛列Ｒ３が６ショット目から、植毛列Ｒ４が７ショット目から、植毛列Ｒ５が８ショット目から（本来複植部位２９となるのは９ショット目の「２９ｂ」（図５（Ｂ）に示す）からなのであるが、後に述べる濃度傾斜の処理により８ショット目の「２９ａ」からとなる）、植毛列Ｒ６が７ショット目から、植毛列Ｒ７が６ショット目から、夫々複植部位２９となる。なお、この場合無植部位２７はカウントされない。
【００３５】
「濃度傾斜」とは、顧客パターン１１の生際と相似する「曖昧開始位置」の植毛列Ｒ１〜Ｒ３１上に指定した確率で複植部位２９の形成をするパラメータであり、設定値のｎ（ｎ＝整数）倍の割合で複植部位２９の形成をする。この場合において１００％超となったときは１００％止まりとなる。例えば、図４及び図５（Ａ）の場合は生際深さ「８」、曖昧開始位置「５」、濃度傾斜「３０」％と設定してあるので、５ショット目が３０％の割合で（例えば植毛列Ｒ８）、６ショット目が３０％×２で６０％の割合で（例えば植毛列Ｒ９、植毛列Ｒ１０）、７ショット目が３０％×３で９０％の割合で（例えば植毛列Ｒ１１）、８ショット目が３０％×４で１２０％となるので１００％の割合で（例えば植毛列Ｒ５、植毛列Ｒ１２）、９ショット目が３０％×５で１５０％となるので１００％の割合で複植部位２９となる。設定値は「０〜９０」の範囲で例えば１０％刻みとされる。
【００３６】
ここで、「生際深さ」、「曖昧開始位置」及び「濃度傾斜」の各パラメータの関係について述べる。「曖昧開始位置」及び「濃度傾斜」は単独で設定されることはなく、また「濃度傾斜」は「曖昧開始位置」に依存して設定される。「生際深さ」は理論上は単独で設定することもできる。この場合の単植部位２８の設定値を図５（Ｂ）に白地四角形で示す。この場合植毛列Ｒ５の８ショット目の植毛部位は図５（Ｂ）に示すように本来単植部位２８なのであるが、図４の場合は「生際深さ」に加えて「曖昧開始位置」及び「濃度傾斜」の各パラメータの設定があり、「曖昧開始位置」が「８」と設定されているので、この８ショット目の植毛部位が「濃度傾斜」による確率処理の結果、図５（Ａ）に示すように、複植部位２９に転換するのである。同様にして複植部位２９に転換する単植部位２８を図５（Ｂ）に白地四角形と黒円形で示す。
【００３７】
また図５（Ｂ）に「曖昧開始位置」の終点を三角形で表す。この終点を結んだライン３５ａは生際ライン３１と同一となるので理想とする自然の生際には相応しくない。よって濃度傾斜処理を施して前述した図５（Ａ）の生際を形成するのである。「曖昧開始位置」と「濃度傾斜」とがセットで設定される所以である。
【００３８】
ここで植毛密度についても述べる。「植毛密度」とは、特定の顧客パターン１１について単位面積に植え付ける植毛材の量を表す。頭髪を例にとると、毛髪の環境は各人、生成箇所、人種等により種々であり、疎に生えている場合から密に生えている場合まで様々である。これを植毛ショットの間隔つまり移動テーブルの移動距離を設定することにより制御する。設定値は「１」％乃至「１００」％の範囲で、例えば１％刻みでコンピュータに入力される。
【００３９】
最終製品としての皮膜毛２０は中間体としての皮膜毛２０中、生際処理部２１より無植部位２７を生際ライン３１に沿って鋏等にて切除してなる。図５（Ａ）に切除する部分２１ａを斜線で示す。かくして形成された各植毛列Ｒ１〜Ｒ３１の最先端の部分が生際部２２を構成する。即ち、生際部２２とは、生際ライン３１と各植毛列Ｒ１〜Ｒ３１の最初の複植部位２９ａまでの間（生際終端ライン３５）の範囲を指称する。ちなみに、生際処理部２１とは、前述のように仮想生際ライン３３と各植毛列Ｒ１〜Ｒ３１の最初の複植部位２９ａとの間（生際終端ライン３５）の範囲を指称する。
【００４０】
次に図６以下に基づき本願発明における植毛材の植え付けについて説明する。図６Ａに示すように、型取り（Ｓ１）、位置合わせ（Ｓ２）、数値入力処理（Ｓ３）、コンピュータ処理（Ｓ４）、データ転送（Ｓ５）、実行（Ｓ６）の各工程を経る。以下詳しく述べる。
【００４１】
第１工程（はげの形状の型取り）
皮膜毛の製造はまず型取り（Ｓ１）から始まる。これは例えば頭部にはげがある場合、作業者が頭部に図７に示す透明フィルムからなる型取り紙１を当て、はげの形状の輪郭線３を型取り紙１に写し取る（Ｓ１）。
【００４２】
第２工程（はげの形状の数値化）
上記輪郭線３を図８に示す台紙５に位置合わせし、はげの形状を数値化する（Ｓ２）。この位置合わせは作業員により、図９に示すように、台紙５に表示された放射状の軸線７にはげの輪郭線３の頂点部３ａ〜３ｑを合致させて行なう。この際、できるだけ多くの頂点部を軸線７に合致させるようにするのが望ましい。図示実施例ははげの輪郭線３が正円の場合である。
【００４３】
ここで図８に基づき皮膜毛製造用の台紙について説明する。５は台紙であり、表面に軸線７が放射状に表示されるとともに、各軸線７にはＡ〜Ｑの符号及び目盛が付される。上記目盛は各軸線７の交点を原点Ｏとし、該原点Ｏからの距離を１ｍｍ間隔毎に表示してある。上記台紙５上にはげの輪郭線３を位置合わせするには、透明フィルムからなる型取り紙１に写し取られたはげの輪郭線３の頂点部をいずれかの軸線７上に合致させるようにする。図９の実施例ははげの形状が正円の場合であるから、頂点部３ａを軸線７Ａ上に、頂点部３ｂを軸線７Ｂ上にというように、以下同様にして頂点部３ｑを軸線７Ｑ上にとる。
【００４４】
第３工程（数値入力処理）
上記合致点における軸線７の目盛の値を当該軸線７に付された符号Ａ〜Ｑとともに作業員により図示しないコンピュータに入力する（Ｓ３）。上記入力の際はげの環境をも入力する。
【００４５】
上記はげの環境ははげの存在する周囲に残存する自毛の量、密度、色、流れ等を参酌しブロック領域８（図２３に示す）ごとに指定する。上記ブロック領域８ははげの輪郭線３で囲まれた領域の範囲を適宜数に分割して形成する。
【００４６】
第４工程（コンピュータ処理）
次いで、隣接する上記合致点の間を、図示しないコンピュータに内蔵されたプログラムにより、予め定められた曲線になるようコンピュータ処理する（Ｓ４）。
【００４７】
第５工程（データ転送）
図示しないコンピュータ画面にてかつらの試行状態を作業員が確認後、第３工程の入力データを図示しないマシンに転送する（Ｓ５）。
【００４８】
第６工程（実行）
転送されたデータに基づき図示しないマシンにおいて植え付け動作が実行される（Ｓ６）。
【００４９】
ここでステップ３の「数値入力処理」を図６Ｂ及び図１０以下に基づき詳しく述べる。
まず、図示しないコンピュータの表示装置に図１０に示す「目録データ」画面が表示されるので、所要の目録データを入力する（Ｓ３１）。
【００５０】
入力項目としては、例えば、「会員番号」「会員氏名」（漢字、カナ、アルファベット）、「性別」「生年月日」「現住所」「電話番号」「メモ」「製作個数」「依頼元支店」「納品先支店」「担当者コード」「依頼担当者」「注文日」「納品日」「製品番号」等である。
【００５１】
上記目録データは、図示しないコンピュータに入力終了後一旦登録ボタンをクリックして登録され、次に述べる作画作業をするたびに呼び出して使用される。
【００５２】
（１）パターン設定
まず、図示しないコンピュータの表示装置の画面に、図１１に示す標準パターン１０を表示させ、はげの形状により「定型作画」又は「点描作画」を選択する。この標準パターン１０は、円１０ａと、該円１０ａの中心点（原点）Ｏを通る複数の放射状の軸線Ｐ０１乃至Ｐ１６とからなる。円１０ａとなっているのは各軸線Ｐ０１乃至Ｐ１６に経験上得られた基準値を予め入力してあることによる。上記軸線Ｐ０１乃至Ｐ１６は隣接間が等間隔となっている。図１１は「定型作画」を選択し（Ｓ３２）、軸線を示す「骨格数」を例えば「１６本」とする場合である。ここで「パターン設定」を選択し（Ｓ３３）、以下の要領に従がい特定の顧客パターン１１を設定する。
【００５３】
まず、「パターン設定」の選択により図１２の画面となるので、この画面によりＡ軸（Ｐ０１）からＱ軸（Ｐ１６）までの各数値を図１２の入力画面に表示される当該軸線の入力ボックスに入力する。このとき画面右上の「現在操作位置」には現在の操作作業の番号が表示され、「パターン設定」作業を示す「１」と表示される。上記第２工程の「はげの形状の数値化」ステップにより、例えば図９の例の場合次の数値が得られている。この場合の数値は各軸線上における中心点（原点）Ｏからの距離（単位ｍｍ）となっている。
Ｐ０１（ＯＡ）＝４０
Ｐ０２（ＯＢ）＝４０
Ｐ０３（ＯＣ）＝４０
Ｐ０４（ＯＤ）＝４０
Ｐ０５（ＯＥ）＝４０
Ｐ０６（ＯＦ）＝４０
Ｐ０７（ＯＧ）＝４０
Ｐ０８（ＯＨ）＝４０
Ｐ０９（ＯＩ）＝４０
Ｐ１０（ＯＪ）＝４０
Ｐ１１（ＯＫ）＝４０
Ｐ１２（ＯＬ）＝４０
Ｐ１３（ＯＭ）＝４０
Ｐ１４（ＯＮ）＝４０
Ｐ１５（ＯＰ）＝４０
Ｐ１６（ＯＱ）＝４０
【００５４】
（２）曲線輪郭の修正
（１）において作画されたはげの形状曲線が「滑らかさ」に欠けた顧客パターン１１ａとなる場合がある。この場合は「曲線輪郭の修正」を行なう（Ｓ３４）。例えばはげの形状が図示実施例のように正円の場合において図１３の如きに作画されたときは、矢印Ａ、Ｂで示す部分の曲線輪郭が「滑らかさ」に欠けるので修正する必要がある。この場合は、軸線の本数即ち「骨格数」を例えば「３２本」に増加させる（図１４にＰ０１乃至Ｐ３２にて示す）。このとき画面右上の「現在操作位置」には「曲線輪郭」作業を示す「２」と表示される。図１４はかかる場合を示す。この画面において、例えば半径「４０」ｍｍの正円を描くべきところ「３９」ｍｍの数値が入力されているときは、その箇所の数値を「４０」ｍｍに変更する。このように「骨格数」を変更することにより「パターン設定」「曲線輪郭」の各作業を必要な回数駆使して滑らかな図形を得る。図１５は修正された作画画面を示す。かくして特定の顧客パターン１１が設定される。
【００５５】
（３）色混合設定
「パターン設定」又は「曲線輪郭」作業後「色混合設定」ボタンを押すと、図１６の画面（「色混合」の標準比）が表示されるので、ここで植え付けられる植毛材の色をブロック領域ごとに指定する（Ｓ３５）。このとき画面右上の「現在操作位置」には「色混合設定」作業を示す「３」と表示される。例えばブロック領域ナンバー「１」の植毛材の長さを「３８０」ｍｍ固定とし、「カラーチャート」は「１」の如く入力する。
【００５６】
「カラーチャート」は、植毛材となる原系のカラー番号及びその混合比率が製品のカラー番号「＃１」「＃２」「＃３」「＃４」「＃５」「＃６」「＃７」「＃８」「＃９」「＃１０」ごとに定められているので（図３２）、これにより指定する。例えば「カラーチャート３」の植毛材はａ色４０％、ｂ色４０％、ｃ色２０％と配分されている。
【００５７】
図１６において、「ボビン選択＆色混合比率」の「１」乃至「７」の表示は植毛材を供給するボビンのポジションの番号であり、例えば黒一色のときは「６番ボビン」に黒色を表す「ａ」と入力し他に「＊」を入力すると、「６番ボビン」に「１００」（％）と表示される。
【００５８】
「混合方法」は「繰り返し」などと入力する。「ブロック設定情報」を確認後、変更のない場合は「閉じる」のコマンドボタンを押す。
【００５９】
「色混合」の標準比に変更を加えるときは、変更したい「カラーチャート」例えば「５」を選択して「ＥＮＴＥＲ」キーを押す（図１７）。すると図１８の画面となる。この画面の「色混合比」は、図３２に示すように、当初、標準の「１番ボビン」にｂ色「５０％」「２番ボビン」にｃ色「４０％」「３番ボビン」にｄ色「１０％」となっている。ここに白髪を「５％」混合させたいときは、白糸用の「７番ボビン」に「５」と入力する。しかる後「ＥＮＴＥＲ」キーを押すと図１９に示すように、「１番ボビン４８％」「２番ボビン３８％」「３番ボビン９％」と各ボビンの比率が按分される。
【００６０】
図２０はブロック領域ごとに植毛材の色が異なる設定方法を示す。図はブロック領域数が「４」個の場合を例示する。この場合、ブロック領域を示す「ブロック領域Ｎｏ．」に順次「１」乃至「４」と入力し、各ブロック領域ごとに「ブロック領域設定情報」に示すように色混合比を設定する。図示はブロック領域Ｎｏ．１乃至３の設定が終了し、ブロック領域Ｎｏ．「４」の設定をしているところを示す。かくしてブロック領域の色混合比が設定される。即ち、ブロック領域１に植え付けられる植毛材は黒一色の色混合なしで縛り返す。ブロック領域２に植え付けられる植毛材はカラーチャート５の変形であるｂ色４８％、ｃ色３８％、ｄ色９％及び白色５％の色混合で縛り返す。ブロック領域３に植え付けられる植毛材はカラーチャート７のｂ色２０％、ｃ色４０％、ｄ色２０％及びｅ色２０％の色混合で縛り返す。ブロック領域４に植え付けられる植毛材はカラーチャート８のｂ色１０％、ｃ色３０％、ｄ色３０％、ｅ色２０％及びｆ色１０％の色混合で縛り返す。
【００６１】
「ブロック領域」には作図の便宜上画面に色彩が施される。この「ブロック領域」の色彩は植毛材の色とは関係がない。図示例ではブロック領域１（図２３に示すブロック領域８ａ）の色は赤色、同２（同８ｂ）は黄色、同３（同８ｃ）は青色、同４（同８ｄ）はピンク色となっている。ブロック領域１の色は固定されているが、ブロック領域２以降は例えば２５色の中から選択することができる。
【００６２】
（４）メッシュ作成
「色混合設定」の終了後「メッシュ作成」ボタンを押すと、図２１の画面が表示され、この画面により「メッシュ作成」をする（Ｓ３６）。このとき画面右上の「現在操作位置」には「メッシュ作成」作業を示す「４」と表示される。「メッシュ作成」というのは上記により作画された特定の顧客パターン１１をコンピュータが認識するステップである。コンピュータが特定の顧客パターン１１を認識すると、コンピュータ画面上に当該顧客パターン１１の画像を格子状に表示し認識したことを表わす。ここで「メッシュ作成」ボタンをクリックすると、図形の大きさと植毛密度に比例したメッシュ作成時間の経過後に下部ステータスバーに、「「メッシュ作成」「メッシュ作成が終了しました。マウス右クリックでブロック領域を指定後ブロック領域確定をして下さい。」とのメッセージが表示される（図２２）。この場合、ブロック領域８の面積を求めるまでに約２０秒を要する。
【００６３】
「メッシュ作成終了」画面（図２２）において、画面の下部ステータスバーに「植毛密度」「生際乱調度」「生際深さ」「曖昧開始位置」「濃度傾斜」等が指定条件になっているか確認する。これらの条件項目の指定は図１２の画面で行なう。図示例の場合、植毛密度「２０％」、生際乱調度「２」、生際深さ「５」、曖昧開始位置「３」、濃度傾斜「３０％」と設定してある。
【００６４】
（５）ブロック領域の指定
上記確認後、画面のガイドに従いブロック領域Ｎｏ．１から同Ｎｏ．４まで順次指定を開始する（Ｓ３７、図２３）。このとき画面右上の「現在操作位置」には「ブロック領域指定」作業を示す「５」と表示される。図２３においてブロック領域８ａ乃至８ｄは図２０等で述べたブロック領域１乃至４を示す。ブロック領域８ａ乃至８ｄの指定において、各ブロック領域の境界が重なってもよい。その場合は後指定のブロック領域が優先される。
【００６５】
全てのブロック領域の指定が終了すると、図２４の「ブロック指定−完了」画面が表示されるので、これを確認する。確認した場合は「ＯＫ」ボタンを押す。
【００６６】
（６）コピー
上記ステップ終了後「ホストへ転送」を選択してデータをホストコンピュータに転送する。この際、歩留まりを上げ効率向上のために必要に応じ、「コピー」作業がなされる（Ｓ３８、図２５）。即ち「コピー」を選択して作画された顧客パターン１１を左上に移動し、「実行」ボタンを押すことにより、図２６に示すように左上、左下、右上、右下の順にコピーを実行していく。コピーが完了すると、下部ステータスバーに、製品１個あたりの打点数と製作所要時間が表示される。
【００６７】
（７）ブロック領域確定
図２７はかくして完了した「ブロック領域確定−完了」画面である。このとき画面右上の「現在操作位置」には「ブロック領域確定−完了」作業を示す「６」と表示される。なお、図２６乃至図２７において枠外に表示される「打点数」「製作所要時間」はいずれも単品当たりの数値である。
【００６８】
（８）全データのファイル構成
かくして確定された全データのファイル構成は例えば図２８の通りである。
【００６９】
確定したデータは「製品データ転送」画面（図示省略）で確認した後、図示しないマシンに転送される（Ｓ５）。上記データ転送が完了すると、図示を省略する「製品データ転送」画面が図示しないコンピュータの表示装置に表示されるので、これにより確認する。
【００７０】
かくして図示しないマシンにおいて上記コンピュータの制御の下植え付け動作が実行される（Ｓ６）。マシン（図示省略）においては、図示しない移動テーブルに例えばポリウレタンシートの如く収縮性のあるベースを固定し、該ベースに例えば断面を「８」字状の楕円形に特殊処理された長径８０ミクロン（μ）のポリエステル繊維からなる植毛材を植え付ける。この植え付けが上記した設定条件に基づき制御されるのである。植毛材を植え付けた部分を接着剤により固定した後、裏面全面に人体に接着するための粘着面が形成される。この粘着面により頭部等の人体のあらゆる部位に直接貼着することができるのである。この皮膜毛は使用後使い捨てとされる。なお、マシンの機構及び動作の一例は例えば特許第３５５２０９５号、国際公開番号WO 2004/089135に詳述してある。
【００７１】
図２９はステップ３２において「点描作画」を選択したとき、図示しないコンピュータの表示装置に表示される画面１２である。「点描作画」は、まず顧客のはげの形状の輪郭線１３が写し取られた透明フィルムからなる型取り紙１をコンピュータの画面上に載置する。「点描作画」の画面１２には軸線Ａ乃至Ｑ及び原点Ｏからの距離を１ｍｍ間隔ごとに表示した目盛（図示省略）が実寸の大きさに付されている。次に上記画面１２において、顧客のはげの形状の輪郭線１３上に指定点ａ乃至ｘを複数設定する。上記指定点ａ乃至ｘのうち一を基点ａとし、他の指定点ｂ乃至ｘを上記基点ａからの一定方向回りの角度ｙ°及び原点Ｏからの距離Ｌにより特定する。上記により特定された各指定点ｂ乃至ｘ及び基点ａは、図示しないコンピュータに内蔵されたプログラムにより制御され特定の顧客パターン１４（図３０に示す）としてコンピュータの画面上に描かれる。
【００７２】
上記において、指定点ａ乃至ｘは任意にとることが可能である。しかし、図２９に示すように、指定点ａ乃至ｘは方向変更するような部位に設定するのが望ましい。指定点の特定は、例えば指定点ｌの場合、基点ａから時計回りに角度ｙ°移行し、かつ原点Ｏから距離Ｌまで離間したところである。
【００７３】
図３０はこのようにして特定された指定点により、「パターン設定」（Ｓ３３）及び「曲線輪部の修正」（Ｓ３４）を繰返して特定の顧客パターン１４を作画した画面である。その余のステップは前記した「定型作画」と同様である。
【００７４】
「点描作画」の場合、図示しないコンピュータの表示装置に表示される画面には必ずしも原点Ｏと原点Ｏを通る複数の放射状の軸線Ｐ０１乃至Ｐ１６とを表示しておく必要はないが、上記を表示しておいてもよい。後者の場合は指定点の特定がし易くなる利点がある。軸線Ｐ０１乃至Ｐ１６を表示する場合は、必ずしも軸線間を等間隔にする必要はない。
【００７５】
上記点描作画は、指定点を任意にとることができるから、例えば馬蹄形状等尖端がある異形のはげの形状に一層適応する。一方、前記した定型作画は円形等曲線の多いはげの形状に一層適応する。
【００７６】
このように本願発明ははげの形状により上記作画態様を選択することができる。
【００７７】
上記実施の形態によりはげの特性に合致したかつらとすることができるのは次の理由による。まず、はげの形状曲線につき、頂点部を放射状の軸線７によりデジタル的に特定するため、はげの部分だけに使用する製品を正確に作製することができることによる。第２に、各軸線７の合致点間をコンピュータ処理することにより予め定められた曲線とするため、はげの形状を示す輪郭線３に非常に近似した形状の皮膜毛を作製することができることによる。けだし、経験上、はげは鋭角的な部分を有しないことが殆どだからである。第３に、はげの環境をブロック領域８ごとに指定して残存する自毛の量、色、流れ等に合うようにするため、残存する自毛に馴染み、より自然な感じを与える皮膜毛を作製することができることによる。
【００７８】
このように上記実施の形態によれば、「はげの形状」及び「はげの環境」をデジタル的に把えるから、１つ々々異なるはげの特性に合致する皮膜毛を規則性のある画一的な機械製造により量産するにもかかわらず、１つ々々オーダメードにより作製したのと同等なより自然な感じを与える製品として供することができる。
【００７９】
またはげの形状を放射状に表示された２次元の軸線上において把えるから、複雑な形状のはげにも柔軟に対応することができる。
【００８０】
またはげの環境をブロック領域８ごとに指定するので、それぞれの環境に合致した皮膜毛を単一製品において実現することができる。
【００８１】
よって、いわゆるかつらの機械生産を可能とするから、量産により使い捨てとすることができる低コストのかつら（皮膜毛）を迅速に製造することができる。
【００８２】
また自毛が欠けた部分のみに適用することができ、従来のように自毛の上に帽子の如くかつらを装着する必要がなくなる。
【００８３】
また機械生産された皮膜毛をはげの部分に直接適用することができるから、自毛にかかる負担が全くない。また自毛結着のための膨大な手間と時間が不要となる。
【００８４】
機械生産された皮膜毛をはげの部分に直接適用することができるから、自毛のないところ例えば火傷や怪我の部位、無毛症における陰部にも適用でき、適用部位を選ばない。
【００８５】
ベース２０１の裏面の凹凸は、図３に示すように、人体の皮膚（例えば頭皮４０）に付着されると、人体の頭皮面４０が平滑であるため、頭皮面４０に押されて持ち上がる。
【００８６】
このためベース２０１の表面において、植毛材２０３の根部２０５を冠着する凸部２０９が凹部２１１より盛り上がった状態となる。即ち、当初下向きの凹凸が上向きに反転する。これはベース２０１及び粘着層２０７が均一の極薄に形成されているために起こる。凸部２０９の盛り上がった状態を「２０９Ａ」と示す。
【００８７】
このようにベース２０１の表面全体に凹凸が出来ると、ベース２０１に当たる光（矢印で示す）が乱反射されるので、ベース２０１が光らず、また生際部２２の植毛材２０３が徐々に増加しているのでかつらであることの見分けがつき難い。
【００８８】
人体に付着したときの上記反転現象により、植毛材２０３は矢印Ｆにて示すように薄い粘着層２０７を介してベース２０１の表面側に頭皮４０により押された状態となっているので、植毛材２０３の固定が強化され、ベース２０１からの植毛材２０３の離脱（いわゆる「抜け」）を防止する。
【００８９】
図３に示すように、植毛材２０３を植付けていない部分（凹部２１１）のベース２０１への光透過率はベース２０１及び粘着層２０７が極薄のため大であるので、頭皮が透けて見える。よってこの面からもかつらであることの見分けがつき難い。
【００９０】
またベース２０１は収縮性素材からなるため、人体への付着後ベース２０１の収縮により根付けした部分の存在を目立たせない効果がある。
【００９１】
上記人体との一体化により、例えば位置ズレの心配なく自由に掻くこと、ブラッシング、着けたままでの洗髪や水泳等々が可能となる。また皮膚との間に隙間なく密着するから自然毛との親和性が大となり、接触しても違和感がない。また皮膚との間に隙間がないからたたいても音がしない。よって、使用者の精神的不安の生ずる余地がない。
【００９２】
本願発明は上記した実施の形態に限定されない。例えば、生際処理部２１及び生際部２２は各植毛列Ｒ１〜Ｒ３１ごとに設定値により設定したが、これを生際処理部２１及び生際部２２の先端と後端が決定された生際処理の範囲と領域的にみることも可能である。
【００９３】
また皮膜毛２０の切除部分２１ａは必ずしも生際ライン３１に沿ってする必要はなく、例えば仮想生際ライン３３に沿って切除することもできる。
【００９４】
また植毛材２０３の断面形状及び径は適宜に変更することができる。
【００９５】
また本願発明ははげの形状により上記作画態様を選択することができる。よって本願発明はあらゆる形状のはげに対応することができる。
【００９６】
はげの環境の特定は、はげの存在する周囲に残存する自毛の量、色、流れ等の全部又は一部の対比において特定の顧客パターン１１のブロック領域８ごとに指定することができる。例えば図２３に示すようにブロック領域８を垂直方向に区画してもよいし、反対に水平方向（図示省略）に区画してもよい。また、図３１に示すように、ブロック領域８ａ乃至８ｄを垂直及び水平方向に区画することもできる。ブロック領域の分割個数は任意である。また標準パターンは他の閉曲線、例えば楕円であってもよい。
【００９７】
台紙５に表示される軸線７及びブロック領域８の個数は１６本及び１６個以上であってもよく、細分化する程望ましい。
【００９８】
型取り工程は、写真によりはげの形状を写し取ることができる。この際デジタルカメラを用いれば、はげの形状のデータを直接コンピュータに取り込むことができる。よってコンピュータの画面上に図８のような台紙画面を表示させ、この台紙画面上において写し取ったデジタル情報を用いて直接はげの形状曲線の頂点部の位置合わせをすることができる。
【００９９】
上記において非デジタル写真又は図示例のような紙情報による型取りであっても、スキャニング技術を用いることにより台紙画面上に寸法データを取り込むことができる。
【０１００】
本願発明において「皮膜毛」とは、頭部に生える毛即ち頭髪はもちろん、それだけでなく、例えば「まゆ毛」「ひげ」「陰毛」等を含む人体に生えるすべての毛を補う物を指称する。よって本願発明は、人体のあらゆる部位に適用することができる。本願発明は、出願人が提案する全く新しいタイプの貼着型補毛材であるため、適当な用語がなく、これまでは出願人も以前の特許出願において「かつら」「使い捨てかつら」「植毛ピース」の如く種々の用語を用いてきたものである。
【０１０１】
本願発明において「はげ」には無毛部位だけでなく、自毛の残数が少ない部位も含んだ意味で用いている。また「はげ」の生成部位は頭部に限らず人体に生成されるすべての抜け毛部分を指称する。
【産業上の利用可能性】
【０１０２】
本願発明は例えばかつらの製造に活用することができる。とくに使い捨てとすることができる低コストの皮膜毛を製造するのに活用することができる。
【図面の簡単な説明】
【０１０３】
【図１】本願発明による皮膜毛の実施の形態を示す斜視図である。
【図２】図１のＩＩ−ＩＩ拡大断面図である。
【図３】本願発明による皮膜毛を装着した状態の図である。
【図４】本願発明による皮膜毛の実施の形態を示す模式平面図である。
【図５】（Ａ）は図４Ｖ部の拡大図であり、（Ｂ）「生際深さ」のみによる処理をした状態を示す。
【図６】Ａは本願発明による皮膜毛及びその中間体の実施の形態を示すメインステップのフロー図、Ｂは同サブステップのフロー図である。
【図７】型取りをした型取り紙の実施例を示す図である。
【図８】本願発明による皮膜毛製造用台紙の実施の形態を示す図である。
【図９】位置合わせをした台紙の実施例を示す図である。
【図１０】製品データ作画（目録データ）のコンピュータ入力画面を示す図である。
【図１１】製品データ作画のコンピュータ入力画面（標準パターン）を示す図である。
【図１２】製品データ作画（定型作画）のコンピュータ入力画面を示す図である。
【図１３】製品データ作画（定型作画）のコンピュータ入力画面を示す図である。
【図１４】製品データ作画（定型作画）のコンピュータ入力画面を示す図である。
【図１５】製品データ作画（定型作画）のコンピュータ入力画面を示す図である。
【図１６】製品データ作画（色混合設定）のコンピュータ入力画面を示す図である。
【図１７】製品データ作画（色混合設定）のコンピュータ入力画面を示す図である。
【図１８】製品データ作画（色混合設定）のコンピュータ入力画面を示す図である。
【図１９】製品データ作画（色混合設定）のコンピュータ入力画面を示す図である。
【図２０】製品データ作画（色混合設定）のコンピュータ入力画面を示す図である。
【図２１】製品データ作画（メッシュ作成−開始）のコンピュータ入力画面を示す図である。
【図２２】製品データ作画（メッシュ作成−完了）のコンピュータ入力画面を示す図である。
【図２３】製品データ作画（ブロック領域指定−開始）のコンピュータ入力画面を示す図である。
【図２４】製品データ作画（ブロック領域指定−完了）のコンピュータ入力画面を示す図である。
【図２５】製品データ作画（コピー）のコンピュータ入力画面を示す図である。
【図２６】製品データ作画（コピー−完了）のコンピュータ入力画面を示す図である。
【図２７】製品データ作画（ブロック領域確定−完了）のコンピュータ入力画面を示す図である。
【図２８】製品データ作画（全データのファイル構成）のコンピュータ画面を示す図である。
【図２９】製品データ作画（点描作画）のコンピュータ入力画面を示す図である。
【図３０】製品データ作画（点描作画）のコンピュータ入力画面を示す図である。
【図３１】ブロック領域の他の指定をするコンピュータ入力画面の要部を示す図である。
【図３２】カラーチャート配分表の実施例を示す図である。
【符号の説明】
【０１０４】
１            型取り紙
３            輪郭線
３ａ          頂点部
３ｂ          頂点部
３ｃ          頂点部
３ｄ          頂点部
３ｅ          頂点部
３ｆ          頂点部
３ｇ          頂点部
３ｈ          頂点部
３ｉ          頂点部
３ｊ          頂点部
３ｋ          頂点部
３ｌ          頂点部
３ｍ          頂点部
３ｎ          頂点部
３ｐ          頂点部
３ｑ          頂点部
５            台紙
７            軸線
８            ブロック領域
１０          標準パターン
１０ａ        円
１１          顧客パターン
１１ａ        顧客パターン
１２          点描作画画面
１３          輪郭線
１４          顧客パターン
２０          皮膜毛
２０１        ベース
２０１ａ      切除部分
２０３        植毛材
２０４        接着剤
２０５        根部
２０６        自由端部
２０７        粘着層
２０９        凸部
２１１        凹部
２１５        剥離紙
２１７        剥離紙
２１          生際処理部
２１ａ        切除部分
２２          生際部
２３          本体部
２５          植毛部位
２７          無植部位
２８          単植部位
２９          複植部位
３１          生際ライン
３３          仮想生際ライン
３５          生際終端ライン
４０          頭皮
Ｒ１〜Ｒ３１  植毛列
【図１】
2007247099.tif 000003
【図２】
2007247099.tif 000004
【図３】
2007247099.tif 000005
【図４】
2007247099.tif 000006
【図５】
2007247099.tif 000007
【図６】
2007247099.tif 000008
【図７】
2007247099.tif 000009
【図８】
2007247099.tif 000010
【図９】
2007247099.tif 000011
【図１０】
2007247099.tif 000012
【図１１】
2007247099.tif 000013
【図１２】
2007247099.tif 000014
【図１３】
2007247099.tif 000015
【図１４】
2007247099.tif 000016
【図１５】
2007247099.tif 000017
【図１６】
2007247099.tif 000018
【図１７】
2007247099.tif 000019
【図１８】
2007247099.tif 000020
【図１９】
2007247099.tif 000021
【図２０】
2007247099.tif 000022
【図２１】
2007247099.tif 000023
【図２２】
2007247099.tif 000024
【図２３】
2007247099.tif 000025
【図２４】
2007247099.tif 000026
【図２５】
2007247099.tif 000027
【図２６】
2007247099.tif 000028
【図２７】
2007247099.tif 000029
【図２８】
2007247099.tif 000030
【図２９】
2007247099.tif 000031
【図３０】
2007247099.tif 000032
【図３１】
2007247099.tif 000033
【図３２】
2007247099.tif 000034